【手続補正書】
【提出日】平成20年7月29日(2008.7.29)
【手続補正１】
【補正対象書類名】明細書
【補正対象項目名】特許請求の範囲
【補正方法】変更
【補正の内容】
【特許請求の範囲】
【請求項１】  窓アセンブリであって、以下：
長手方向軸の周りに繰り返しの様式で変化する断面を有する、可撓性の中空スペーサー；
該スペーサーを少なくとも部分的にカプセル化する、接着シーラントであって、該接着シーラントは、第１の艶出し加工構造体係合表面、および該第１の艶出し加工構造体係合表面に対向する第２の艶出し加工構造体係合表面を有する、接着シーラント；
該接着シーラントの該第１の艶出し加工構造体係合表面と係合する、第１の艶出し加工構造体；ならびに
該接着シーラントの該第２の艶出し加工構造体係合表面と係合する、第２の艶出し加工構造体、
を備える、窓アセンブリ。
【請求項２】  前記スペーサーが、前記長手方向軸に沿って繰り返しの様式で変化する断面領域を有する、請求項１に記載の窓アセンブリ。
【請求項３】  長手方向軸に沿って繰り返しの様式で変化する断面領域を有する前記スペーサーが、チューブである、請求項２に記載の窓アセンブリ。
【請求項４】  前記接着シーラントに接合した少なくとも１つの接着シーラント係合表面を有する、水蒸気バリアをさらに備える、請求項３に記載の窓アセンブリ。
【請求項５】  前記チューブの前記断面領域が、ほぼ矩形である、請求項４に記載の窓アセンブリ。
【請求項６】  前記接着シーラントが、乾燥剤をさらに含む、請求項４に記載の窓アセンブリ。
【請求項７】  前記接着シーラントのトップコート係合表面に接合した、乾燥剤含有トップコートをさらに備える、請求項６に記載の窓アセンブリ。
【請求項８】  前記乾燥剤含有トップコートがまた、前記水蒸気バリアのトップコート係合表面に接合している、請求項７に記載の窓アセンブリ。
【請求項９】  前記スペーサーが、前記長手方向軸に沿って配向が変化する断面を有する、請求項１に記載の窓アセンブリ。
【請求項１０】  前記スペーサーが巻かれ得る、請求項１に記載の窓アセンブリ。
【請求項１１】  窓アセンブリであって、以下：
リブ付きチューブ；
該チューブを少なくとも部分的にカプセル化する、接着シーラントであって、該接着シーラントは、第１の艶出し加工構造体係合表面、および第１の窓係合表面に対向する第２の艶出し加工構造体係合表面を有する、接着シーラント；
該接着シーラントに接合した接着シーラント係合表面を有する、水蒸気バリア；
該接着シーラントに接合した、乾燥剤含有トップコート；
該接着シーラントの該第１の艶出し加工構造体係合表面と係合した、第１の艶出し加工構造体；ならびに
該接着シーラントの該第２の艶出し加工構造体係合表面と係合した、第２の艶出し加工構造体、
を備える、窓アセンブリ。
【請求項１２】  前記リブ付きチューブが、ほぼ矩形の断面領域を有する、請求項１１に記載の窓アセンブリ。
【請求項１３】  前記リブ付きチューブが、少なくとも第１の艶出し加工構造体係合表面、該第１の艶出し加工構造体係合表面に対向する第２の艶出し加工構造体係合表面、および第１の結合表面と第２の結合表面との間に位置する外側表面に沿ってリブ付きである、請求項１２に記載の窓アセンブリ。
【請求項１４】  前記リブ付きチューブが、実質的にいずれのリブもない内側表面をさらに備える、請求項１３に記載の窓アセンブリ。
【請求項１５】  前記接着シーラントが、前記第１の艶出し加工構造体係合表面および前記第２の艶出し加工構造体係合表面に接着されている、請求項１４に記載の窓アセンブリ。
【請求項１６】  前記スペーサーが巻かれ得る、請求項１１に記載の窓アセンブリ。
【請求項１７】  スペーサーアセンブリであって、以下：
長手方向軸に沿って繰り返しの様式で変化する断面を有する、可撓性の中空スペーサー；および
該スペーサーを少なくとも部分的にカプセル化する、接着シーラント、
を備える、スペーサーアセンブリ。
【請求項１８】  前記スペーサーが、前記長手方向軸に沿って繰り返しの様式で変化する断面領域を有する、請求項１７に記載のスペーサーアセンブリ。
【請求項１９】  前記スペーサーが、前記長手方向軸に沿って配向が変化する断面を有する、請求項１７に記載のスペーサーアセンブリ。
【請求項２０】  長手方向軸に沿って繰り返しの様式で変化する断面領域を有する前記スペーサーが、チューブである、請求項１８に記載のスペーサーアセンブリ。
【請求項２１】  前記接着シーラントに接合した、少なくとも１つの接着シーラント係合表面を有する、水蒸気バリアをさらに備える、請求項２０に記載のスペーサーアセンブリ。
【請求項２２】  前記チューブが、少なくとも２つの対向する面を有する、請求項２１に記載のスペーサーアセンブリ。
【請求項２３】  前記アセンブリが巻かれ得る、請求項１７に記載のスペーサーアセンブリ。
【請求項２４】  前記接着シーラントが、乾燥剤をさらに含む、請求項１８に記載のスペーサーアセンブリ。
【請求項２５】  前記接着シーラントのトップコート係合表面に接合した、乾燥剤含有トップコートをさらに備える、請求項２１に記載のスペーサーアセンブリ。
【請求項２６】  前記接着シーラントのトップコート係合表面に接合した、乾燥剤含有トップコートをさらに備える、請求項２１に記載のスペーサーアセンブリ。
【請求項２７】  スペーサーアセンブリであって、以下：
リブ付きチューブ；
該チューブを少なくとも部分的にカプセル化する、接着シーラント；および
該接着シーラントに接合した接着シーラント係合表面を有する、水蒸気バリア、
を備える、スペーサーアセンブリ。
【請求項２８】  前記リブ付きチューブが、ほぼ矩形の断面領域を有する、請求項２７に記載のスペーサーアセンブリ。
【請求項２９】  前記リブ付きチューブが、少なくとも第１の結合線表面、第２の結合線表面、および外側表面に沿ってリブ付きである、請求項２８に記載のスペーサーアセンブリ。
【請求項３０】  前記アセンブリが巻かれ得る、請求項２７に記載のスペーサーアセンブリ。
【請求項３１】  前記接着シーラントが、乾燥剤をさらに含む、請求項２７に記載のスペーサーアセンブリ。
【請求項３２】  前記接着シーラントのトップコート係合表面に接合した、乾燥剤含有トップコートをさらに備える、請求項２８に記載のスペーサーアセンブリ。
【請求項３３】  前記チューブが、前記スペーサーの長手方向軸の周りに少なくとも部分的に延びるリブを備える、請求項２０に記載のスペーサーアセンブリ。
【請求項３４】  前記チューブが、リブを欠く少なくとも一部分を有する外側表面を備える、請求項３３に記載のスペーサーアセンブリ。
【請求項３５】  前記チューブがほぼ矩形の断面を有する、請求項３３に記載のスペーサーアセンブリ。
【請求項３６】  前記チューブが多角形の断面を有する、請求項３３に記載のスペーサーアセンブリ。
【請求項３７】  前記リブが、鋭い角部の形成を容易にするための変化する厚みを有する、請求項３３に記載のスペーサーアセンブリ。
【請求項３８】  マルチパネル窓アセンブリにおいて使用するために適合されたスペーサーアセンブリであって、
長手方向軸に沿って繰り返しの様式で変化する断面を有する、可撓性の中空窓スペーサー；および
該スペーサーを少なくとも部分的にカプセル化する接着シーラント、
を備える、スペーサーアセンブリ。
【請求項３９】  前記窓スペーサーが、前記長手方向軸に沿って繰り返しの様式で変化する断面積を有する、請求項３８に記載のスペーサーアセンブリ。
【請求項４０】  前記窓スペーサーが、前記長手方向軸に沿って配向が変化する断面を有する、請求項３８に記載のスペーサーアセンブリ。
【請求項４１】  長手方向軸に沿って繰り返しの様式で変化する断面積を有する前記窓スペーサーが、チューブである、請求項３９に記載のスペーサーアセンブリ。
【請求項４２】前記接着シーラントに接合した少なくとも１つの接着シーラント係合表面を有する、水蒸気バリアをさらに備える、請求項４１に記載のスペーサーアセンブリ。
【請求項４３】  前記チューブが、少なくとも２つの対向する面を有する、請求項４２に記載のスペーサーアセンブリ。
【請求項４４】  前記アセンブリが巻かれ得る、請求項３８に記載のスペーサーアセンブリ。
【請求項４５】  前記接着シーラントが、乾燥剤をさらに含む、請求項３９に記載のスペーサーアセンブリ。
【請求項４６】  前記接着シーラントのトップコート係合表面に接合した、乾燥剤含有トップコートをさらに備える、請求項３８に記載のスペーサーアセンブリ。
【請求項４７】  前記接着シーラントのトップコート係合表面に接合した、乾燥剤含有トップコートをさらに備える、請求項４２に記載のスペーサーアセンブリ。
【請求項４８】  前記チューブが、前記スペーサーの長手方向軸の周りに少なくとも部分的に延びるリブを備える、請求項４１に記載のスペーサーアセンブリ。
【請求項４９】  前記チューブが、リブを欠く外側表面を備える、請求項４８に記載のスペーサーアセンブリ。
【請求項５０】  前記チューブがほぼ矩形の断面を有する、請求項４８に記載のスペーサーアセンブリ。
【請求項５１】  前記チューブが多角形の断面を有する、請求項４８に記載のスペーサーアセンブリ。
【請求項５２】  前記リブが、鋭い角部の形成を容易にするための変化する厚みを有する、請求項４８に記載のスペーサーアセンブリ。
【請求項５３】  前記リブが、鋭い角部を容易にするための変化する厚みを有する、請求項４８に記載のスペーサーアセンブリ。